(57)【要約】【課題】省エネ化を実現する冷却システム、空調制御装置および空調制御方法を提供する。【解決手段】自身を冷却するファンを内蔵する電子機器を内部に設置するラック１０と、ラック１０の吸込温度を所定の温度以下に保つための空調機２０，２５と、ラック１０の吸込温度の上昇及び低下を検出する温度計測部３０と、空調機２０，２５の吸込温度、吹出温度、および、風量比から処理熱量を演算するとともに、温度計測部３０の計測値に応じて空調機２０，２５の運転または停止を指示する制御装置４０と、を備え、制御装置４０は、ラックの負荷率に応じて、ラック１０の吸込温度が許容温度以下かを判定するための温度計測部３０の判定温度を変更する。【選択図】図１
2018017469.tif 000002
【特許請求の範囲】
【請求項１】
自身を冷却するファンを内蔵する電子機器を内部に設置するラックと、
前記ラックの吸込温度を所定の温度以下に保つための空調機と、
前記ラックの吸込温度の上昇及び低下を検出する温度計測部と、
前記空調機の吸込温度、吹出温度、および、風量比から処理熱量を演算するとともに、前記温度計測部の計測値に応じて前記空調機の運転または停止を指示する制御装置と、を備え、
前記制御装置は、
前記ラックの負荷率に応じて、前記ラックの吸込温度が許容温度以下かを判定するための前記温度計測部の判定温度を変更する
ことを特徴とする冷却システム。
【請求項２】
前記制御装置は、
前記ラックの負荷率と前記温度計測部の判定温度とを対応付けしたデータを記憶しており、
演算した前記空調機の処理熱量から前記ラックの負荷率を演算し、
前記データおよび演算した前記ラックの負荷率に基づいて、前記温度計測部の判定温度を決定する
ことを特徴とする請求項１に記載の冷却システム。
【請求項３】
前記制御装置に記憶されるデータは、
前記電子機器から放出される熱負荷の負荷率および前記空調機の運転条件ごとに、前記ラックの吸込温度と、前記温度計測部の設置箇所における温度を演算して、
前記演算の結果から、前記熱負荷の負荷率ごとに、前記ラックの吸込温度が所定の管理温度以下を満足すると判定できる前記温度計測部の設置箇所における温度判定値を対応付けしたものである
ことを特徴とする請求項２に記載の冷却システム。
【請求項４】
前記温度計測部の判定温度を制御設定値として、前記空調機の運転または停止を指示する
ことを特徴とする請求項１乃至請求項３のいずれか１項に記載の冷却システム。
【請求項５】
自身を冷却するファンを内蔵する電子機器を内部に設置するラックと、前記ラックの吸込温度を所定の温度以下に保つための空調機と、前記ラックの吸込温度の上昇及び低下を検出する温度計測部と、を備える部屋の前記空調機を制御する空調制御装置であって、
該空調制御装置は、
前記空調機の吸込温度、吹出温度、および、風量比から処理熱量を演算し、
前記ラックの負荷率に応じて、前記ラックの吸込温度が許容温度以下かを判定するための前記温度計測部の判定温度を変更し、
前記温度計測部の計測値と前記判定温度に応じて前記空調機の運転または停止を指示する
ことを特徴とする空調制御装置。
【請求項６】
自身を冷却するファンを内蔵する電子機器を内部に設置するラックと、前記ラックの吸込温度を所定の温度以下に保つための空調機と、前記ラックの吸込温度の上昇及び低下を検出する温度計測部と、前記空調機の吸込温度、吹出温度、および、風量比から処理熱量を演算するとともに、前記温度計測部の計測値に応じて前記空調機の運転または停止を指示する制御装置と、を備える冷却システムの空調制御方法であって、
前記ラックの負荷率に応じて、前記ラックの吸込温度が許容温度以下かを判定するための前記温度計測部の判定温度を変更する
ことを特徴とする冷却システムの空調制御方法。
【発明の詳細な説明】
【技術分野】
【０００１】
本発明は、冷却システム、空調制御装置および空調制御方法に関し、特にサーバルームの空調を制御する冷却システム、空調制御装置および空調制御方法に関する。
【背景技術】
【０００２】
サーバルームには、コンピュータやサーバ等の電子機器（以下、「機器」と称する。）が集約された状態で多数設置され、これらの機器が昼夜にわたって連続稼働している。サーバルームにおける機器の設置は、ラックマウント方式が主流になっている。ラックマウント方式は、機器を機能単位別に分割して収納するラック（筺体）を、キャビネットに段積みする方式であり、かかるキャビネットがサーバルームの床上に多数整列配置されている。ラックに収納されている機器は、前面から低温空気を吸い込み、機器の内部を冷却して、背面から高温空気を排気するものが一般的である。
【０００３】
これらの機器は、高温状態になるとシステム停止等のトラブルを引き起こすおそれがあるため、複数の冷却装置によって機器から排気された高温空気を冷却することで、サーバルームは一定の温度環境に管理され、特に、ラックの吸込温度が所定温度以下となるように管理されている。このため、サーバルームには、ラックの吸込温度や室内温度管理用の温度センサが設けられている。
【０００４】
例えば、特許文献１には、コンピュータが、前記コンピュータが有するメモリに記憶された温度制御対象となる空間の解析モデルに対して行った熱流体シミュレーション結果に基づき前記空間内の温度勾配を算出し、前記メモリに記憶された温度センサの設置可能領域を示す領域情報から前記空間内の前記設置可能領域を含む分割対象領域を、前記温度勾配を用いて温度差が所定範囲内である複数の領域に分割し、前記複数の領域の各領域毎に温度センサの設置位置を決定する温度センサ設置位置決定方法が開示されている（請求項１参照）。
【先行技術文献】
【特許文献】
【０００５】
【特許文献１】特開２０１４−１２００３５号公報
【発明の概要】
【発明が解決しようとする課題】
【０００６】
しかしながら、機器からの発熱量が小さく、冷却装置を全台運転する必要がない場合でも、ラックの吸込温度が所定温度を超えることを懸念して、冷却装置の全台運転を行っているのが現状である。そのため、省エネルギの観点からラックの吸込温度を所定温度以下に維持し、かつ、必要な台数だけ冷却装置を運転させ、システム全体の消費電力を削減する手法が求められている。
【０００７】
そこで、本発明は、省エネ化を実現する冷却システム、空調制御装置および空調制御方法を提供することを課題とする。
【課題を解決するための手段】
【０００８】
このような課題を解決するために、本発明に係る冷却システムは、自身を冷却するファンを内蔵する電子機器を内部に設置するラックと、前記ラックの吸込温度を所定の温度以下に保つための空調機と、前記ラックの吸込温度の上昇及び低下を検出する温度計測部と、前記空調機の吸込温度、吹出温度、および、風量比から処理熱量を演算するとともに、前記温度計測部の計測値に応じて前記空調機の運転または停止を指示する制御装置と、を備え、前記制御装置は、前記ラックの負荷率に応じて、前記ラックの吸込温度が許容温度以下かを判定するための前記温度計測部の判定温度を変更することを特徴とする。
【０００９】
また、本発明に係る空調制御装置は、自身を冷却するファンを内蔵する電子機器を内部に設置するラックと、前記ラックの吸込温度を所定の温度以下に保つための空調機と、前記ラックの吸込温度の上昇及び低下を検出する温度計測部と、を備える部屋の前記空調機を制御する空調制御装置であって、空調制御装置は、前記空調機の吸込温度、吹出温度、および、風量比から処理熱量を演算し、前記ラックの負荷率に応じて、前記ラックの吸込温度が許容温度以下かを判定するための前記温度計測部の判定温度を変更し、記温度計測部の計測値と前記判定温度に応じて前記空調機の運転または停止を指示する。
【００１０】
また、本発明に係る空調制御方法は、自身を冷却するファンを内蔵する電子機器を内部に設置するラックと、前記ラックの吸込温度を所定の温度以下に保つための空調機と、前記ラックの吸込温度の上昇及び低下を検出する温度計測部と、前記空調機の吸込温度、吹出温度、および、風量比から処理熱量を演算するとともに、前記温度計測部の計測値に応じて前記空調機の運転または停止を指示する制御装置と、を備える冷却システムの空調制御方法であって、前記ラックの負荷率に応じて、前記ラックの吸込温度が許容温度以下かを判定するための前記温度計測部の判定温度を変更することを特徴とする
【発明の効果】
【００１１】
本発明によれば、省エネ化を実現する冷却システム、空調制御装置および空調制御方法を提供することができる。
【図面の簡単な説明】
【００１２】
【図１】第１実施形態に係る冷却システムの構成例を示す平面図である。
【図２】センサ温度判定値の決定方法を説明するグラフである。
【図３】第１実施形態に係る冷却システムのセンサ温度判定値のテーブルデータの一例である。
【図４】第２実施形態に係る冷却システムの構成例を示す平面図である。
【図５】変形例に係る冷却システムのセンサ温度判定値のテーブルデータの一例である。
【発明を実施するための形態】
【００１３】
以下、本発明を実施するための形態（以下「実施形態」という）について、適宜図面を参照しながら詳細に説明する。なお、各図において、共通する部分には同一の符号を付し重複した説明を省略する。
【００１４】
≪第１実施形態≫
＜冷却システムＳ＞
第１施形態に係る冷却システムＳについて、図１を用いて説明する。図１は、第１実施形態に係る冷却システムＳの構成例を示す平面図である。
【００１５】
図１に示すように、データセンタなどの室（コンピュータルーム，サーバルーム）Ｒには、コンピュータやサーバ等の電子機器（以下、「機器」と称する。）を収納したラック（サーバラック）１０が複数設置されている。ラック１０は、機器が内蔵するファン（図示せず）により、前面を給気面とし、背面を排気面として、給気面から取り込んだ空気で機器の内部を冷却し、排気面から高温空気を排気するようになっている。
【００１６】
ラック１０は、給気面と排気面を揃えて配置したラック列１２を形成しており、さらに、２列のラック列１２の排気面同士を向かい合わせて配置したラック群１５が形成されている。また、ラック群１５がラック列１２の給気面同士を向かい合わせて配置されている。これにより、図１に示すように、ラック列１２の給気面同士が対向するコールドアイル（Cold aisle；寒い通路）ＣＡと、ラック列１２の排気面同士が対向するホットアイル（Hot aisle；熱い通路）ＨＡと、が交互に形成される。
【００１７】
第１実施形態に係る冷却システムＳは、全体空調機２０と、局所空調機２５と、温度センサ３０と、制御装置４０と、を備えている。
【００１８】
全体空調機２０は、図１に示すように、室Ｒの周囲部に複数設置されている。全体空調機２０は、空調機（Computer Room Air Conditioning；ＣＲＡＣ）であり、ホットアイルＨＡからの高温空気を取り込んで冷却し、低温空気をコールドアイルＣＡに供給する。なお、全体空調機２０の運転／停止は、制御装置４０により制御される。
【００１９】
図１に示すように、ラック１０の排気面から排気された高温空気（暖気）は、ホットアイルＨＡに排気され、室Ｒの上部を通って、全体空調機２０に吸い込まれる。そして、全体空調機２０で冷却された低温空気（冷風）は、室Ｒの二重床空間を通って、各コールドアイルＣＡに供給され、ラック１０の給気面から吸い込まれる。このように、冷却システムＳは、室Ｒに設置されたラック１０を冷却する、換言すれば、ラック１０に収納した機器（図示せず）を冷却する。
【００２０】
局所空調機２５は、ラック１０に設置された機器の近傍に設置され、機器の発熱を局所的に冷却する。即ち、局所空調機２５は、冷却対象のラック１０の排気面と接したホットアイルＨＡから高温空気を取り込んで冷却し、低温空気を冷却対象のラック１０の給気面と接したコールドアイルＣＡに供給する。
【００２１】
なお、図１において、局所空調機２５は一部のラック列１２に配置されているものとして図示しているが、これに限られるものではなく、全てのラック列１２に局所空調機２５を配置してもよい。
【００２２】
各コールドアイルＣＡには、温度センサ３０が設置され、ラック１０の給気面からラック１０の内部に吸込まれる低温空気の温度を測定することができるようになっている。温度センサ３０の検出信号は、制御装置４０に出力される。
【００２３】
なお、温度センサ３０は、ラック群１５の給気面と対応付けされており、図１に示す構成においては、ラック群１５の両側の給気面（換言すれば、ラック群１５と接するコールドアイルＣＡ）に対して、それぞれ３ヶ所の温度センサ３０の計測点が設けられている。
【００２４】
制御装置４０は、温度センサ３０で検出した温度に基づいて、全体空調機２０の運転／停止を判定し、全体空調機２０の運転／停止を制御する。図１に示すように、制御装置４０は、温度取得部４１と、運転状態取得部４２と、負荷率取得部４３と、判定温度設定部４４と、運転判定部４５と、記憶部４６と、を備えている。
【００２５】
温度取得部４１は、温度センサ３０で検出したコールドアイルＣＡの温度を取得する。
【００２６】
運転状態取得部４２は、現在の全体空調機２０および局所空調機２５の運転状態（どの全体空調機２０、局所空調機２５が運転しているか、停止しているか）を取得する。
【００２７】
負荷率取得部４３は、ラック列１２のラック１０に収容された機器から放出される熱負荷の負荷率（以下、「ラックの負荷率」ともいう。）（％）を取得する。なお、負荷率取得部４３の詳細は後述する。
【００２８】
判定温度設定部４４は、記憶部４６に格納されたテーブル（後述する図４参照）と、負荷率取得部４３で取得した負荷率情報と、に基づいて、判定温度を設定する。なお、判定温度設定部４４の詳細は後述する。
【００２９】
運転判定部４５は、温度取得部４１で取得した温度情報、判定温度設定部４４で設定した判定温度、および、運転状態取得部４２で取得した現在の運転状態情報に基づいて、全体空調機２０の運転／停止を判定する。即ち、運転判定部４５は、温度センサ３０で検出したコールドアイルＣＡの温度が所定の許容値（判定温度）より十分低いこと判定した場合、空調機（全体空調機２０および／または局所空調機２５）の運転が過剰であるとして、運転状態取得部４２で取得した運転中の空調機の中から過剰な空調機の停止を行うと判定する。一方、運転判定部４５は、温度センサ３０で検出したコールドアイルＣＡの温度が所定の許容値（判定温度）に近づいたと判定した場合、空調機（全体空調機２０および／または局所空調機２５）を追加で運転する等の判断を行う。
【００３０】
記憶部４６は、判定温度設定部４４が判定温度を設定する際に用いる情報が格納されている。
【００３１】
そして、制御装置４０は、運転判定部４５の判定結果に基づいて、各全体空調機２０の運転／停止を制御することにより、冷却システムＳ全体を制御する。
【００３２】
なお、図示は省略するが、全体空調機２０や局所空調機２５の吹出温度や吸込温度を検出する温度センサ（図示せず）が設けられており、それらの温度センサの検出信号も制御装置４０に出力される。また、全体空調機２０や局所空調機２５の風量比（最大風量に対する現在の風量）も制御装置４０に出力される。なお、風量比は、流量センサ等により直接求めてもよく、ファンモータの制御値から推定してもよい。制御装置４０はこれらの温度情報や風量比情報も収集する。
【００３３】
＜テーブル＞
前述のように、制御装置４０の判定温度設定部４４で設定した判定温度は、運転判定部４５が全体空調機２０の運転／停止を判定する際に用いられる。ここで、記憶部４６には、ラックの負荷率と判定温度を対応付けしたテーブル（後述する図３参照）が格納されており、判定温度設定部４４は、記憶部４６に格納されたテーブル（後述する図３参照）と負荷率取得部４３で取得した負荷率情報とに基づいて判定温度を設定する。以下、記憶部４６に格納されるテーブルについて説明する。
【００３４】
まず、ワークステーション等で構成されるシミュレーション装置（図示せず）で、あらかじめ対象となる室Ｒのレイアウト情報（室Ｒの寸法、ラック１０や空調機２０，２５の機器構成、仕様、配置等）に基づいて、気流温度シミュレーションを行う。このシミュレーションは、ラックの負荷率や各空調機２０，２５の運転条件（どの空調機が運転または停止しているかの組み合わせ）ごとに、ラック１０の吸込温度や、温度センサ３０の設置位置における温度を計算する。
【００３５】
そして、各条件のシミュレーションの結果から、ラック列１２ごとにその列のラック吸込面の温度の最大値（ラック吸込面温度最大値）と、そのラック列１２を管理する温度センサ３０の検出温度の最大値（センサ温度最大値）と、の関係を取得する。
【００３６】
図２は、ラックの負荷率（％）および各空調機２０，２５の運転条件ごとにシミュレーションを実施した結果から、ラック吸込面温度最大値とセンサ温度最大値との関係を取得し、負荷率ごとにグラフにプロットした一例を示す概念図である。
【００３７】
ここで、横軸はシミュレーションで求めた、ラック列１２のラック吸込面温度最大値であり、縦軸はそのラック列１２のセンサ温度最大値である。なお、空調機２０，２５のある運転条件が１つのグラフ（図２参照）に対応し、そのグラフ内にラックの負荷率に対応して１つの曲線が描かれている。即ち、シミュレーションの結果から、図２に示すようなグラフが空調機２０，２５の運転条件の数だけ存在する。
【００３８】
また、第１実施形態におけるラックの負荷率とは、室Ｒ内の全体のラック１０の負荷率である。また、図２において、負荷率Ｑ１〜Ｑｎの関係は「Ｑ１＜Ｑ２＜…＜Ｑｎ」であり、負荷率Ｑ１におけるシミュレーション値を白抜き楕円でプロットし、負荷率Ｑ２におけるシミュレーション値を白抜き四角でプロットし、負荷率Ｑｎにおけるシミュレーション値を白抜き三角でプロットしている。なお、プロットの分布は、室Ｒのレイアウト条件によって異なる。
【００３９】
例えば、図２に示す例では、温度センサ３０がラック１０からの加熱空気の影響を比較的受けやすい個所に設置されており、ラック吸込面における温度（ラック吸込面温度）よりも温度センサ３０で検出した温度（センサ温度）が高めになるケースを想定している。
【００４０】
このような構成において、負荷率の小さい負荷率Ｑ１では、ラック１０からの発熱量がそれほど大きくないため、ラック吸込面温度と温度センサ３０の設置個所における温度（センサ温度）との差は小さいが、負荷率が大きくなるほど（Ｑ２…Ｑｎ）、ラック吸込面温度と温度センサ３０の設置個所における温度（センサ温度）との差が大きくなる。
【００４１】
この結果から、図２に示すように、負荷率ごとの近似曲線を作成し、近似曲線からラック吸込温度の管理温度（即ち、ラック吸込面温度最大値）に対応したセンサ温度を算出し、判定値とする。
【００４２】
ここで、図２では、負荷率Ｑ１の近似曲線を実線で示し、負荷率Ｑ２の近似曲線を一点鎖線で示し、負荷率Ｑｎの近似曲線を破線で示している。また、近似曲線は、管理温度以下に維持するという観点から、ラック吸込面温度最大値とセンサ温度最大値で与えられるプロットされた全ての点よりも低くなるように、近似曲線を作成する。
【００４３】
また、図２では、ラック吸込温度の管理温度を２７℃と設定した場合、負荷率Ｑ１ではセンサ温度判定値Ｔ１となり、負荷率Ｑ２ではセンサ温度判定値Ｔ２となり、負荷率Ｑｎではセンサ温度判定値Ｔｎとなる。なお、センサ温度判定値Ｔ１〜Ｔｎの関係は「Ｔ１＜Ｔ２＜…＜Ｔｎ」となる。
【００４４】
図３は、第１実施形態に係る冷却システムＳのセンサ温度判定値のテーブルデータの一例である。
【００４５】
以上のように、ラックの負荷率に対してセンサ温度判定値（判定温度）が決定され、図３に示すようなラックの負荷率とセンサ温度判定値とが対応付けされたテーブルが作成され、制御装置４０の記憶部４６に格納されている。なお、図３に示すようなテーブルも、図２に示すグラフと同様に、空調機２０，２５の運転条件の数だけ記憶部４６に格納される。また、ラック吸込温度の管理温度が複数ある場合には、その数を積算した分だけテーブルが記憶部４６に格納される。
【００４６】
なお、テーブルデータ（図３参照）は、シミュレーション装置（図示せず）で作成され、制御装置４０の記憶部４６に格納されるものとして説明したが、これに限られるものではない。例えば、制御装置４０を構成するコンピュータがシミュレーション装置を兼ねていてもよい。
【００４７】
＜負荷率＞
制御装置４０の負荷率取得部４３は、収集した各空調機２０，２５の吹出温度Ｔｏｕｔと吸込温度Ｔｉｎと風量比ＲａｔｅＱ［％］から、空調機の負荷Ｌ［ｋＷ］を式（１）で計算する。なお、Ｑ100は風量比１００％における風量［ｍ3／ｍｉｎ］であり、Ｃｐは比熱［ｋＪ／ｋｇ・Ｋ］であり、αは空気の比重［ｋｇ／ｍ3］である。また、室Ｒ内の全体のラック１０からの熱負荷は、空調機２０，２５で処理している熱量の合計であるから、ラックの負荷率Ｚ［％］は、式（２）で求められる。なお、Ｌ100は全ラックの負荷率１００％時の負荷の合計である。
【００４８】
Ｌ＝Ｑ100×（ＲａｔｅＱ／１００）×Ｃｐ×α×（Ｔｉｎ−Ｔｏｕｔ）／６０…（１）
Ｚ＝Ｌ／Ｌ100                                                          …（２）
【００４９】
以上のように、負荷率取得部４３は、ラックの負荷率Ｚを取得することができる。なお、負荷率の計算は、ラック吸込面温度最大値およびセンサ温度最大値と同様に、ラック列１０の単位で行う。
【００５０】
＜判定温度＞
判定温度設定部４４は、記憶部４６に格納されたテーブルデータ（図３参照）を参照して、負荷率取得部４３で取得した負荷率Ｚ（負荷率情報）から、ラック１０の管理温度に該当する温度センサ判定値を取得して、その温度を判定温度として設定する。
【００５１】
そして、運転判定部４５は、温度センサ３０の値（温度取得部４１で取得した温度情報）が判定温度設定部４４で決定した判定温度（温度センサ判定値）以下となるように、全体空調機２０の運転／停止を判定する。そして、制御装置４０は、運転判定部４５の判定結果に基づいて、全体空調機２０の運転／停止を制御する。なお、制御装置４０は、運転判定部４５の判定結果に基づいて、全体空調機２０の運転／停止を制御するものとして説明したが、これに限られるものではなく、判定結果を図示しない表示部に表示する構成であってもよい。これにより、オペレータ（データセンタの管理者）は表示部に表示された判定結果（運転状態情報）にしたがって、全体空調機２０の運転／停止を手動で操作する。
【００５２】
＜作用効果＞
以上のように、第１実施形態に係るに係る冷却システムＳによれば、ラックの負荷率ごとにラック吸込温度を所定の温度（管理温度）以内に維持するための温度センサ３０における判定温度（温度センサ判定値）を求めることができる。そして、この判定温度に基づいて、全体空調機２０の運転／停止を制御することにより、過剰な全体空調機２０の運転を止めることが可能となり、省エネ化を実現することができる。
【００５３】
≪第２実施形態≫
＜冷却システムＳ＞
第２施形態に係る冷却システムＳＡについて、図４を用いて説明する。図４は、第２実施形態に係る冷却システムＳＡの構成例を示す平面図である。第１実施形態に係る冷却システムＳ（図１参照）は室Ｒを１単位として識別していたのに対し、第２実施形態に係る冷却システムＳＡ（図４参照）は向かい合う２列のラック列１２と、そのラック列１２を冷却する局所空調機２５を１単位として識別する点で相違する。
【００５４】
図４においては、島Ｉ１〜Ｉ４の４つの島に分割される。また、第２施形態に係る冷却システムＳＡの制御装置４０Ａは、温度取得部４１と、運転状態取得部４２と、負荷率取得部４３Ａと、判定温度設定部４４Ａと、運転判定部４５と、記憶部４６Ａと、を備えている。
【００５５】
また、第１実施形態におけるラックの負荷率は、室Ｒ内の全体のラック１０の負荷率であるのに対し、第２実施形態におけるラックの負荷率は、各島Ｉ１〜Ｉ４ごとの各島内のラック１０の負荷率である点で相違する。即ち、第２施形態に係る冷却システムＳＡでは、各島Ｉ１〜Ｉ４ごとに、ラックの負荷率とセンサ温度判定値（判定温度）とが対応付けされたテーブル（図３参照）が第１施形態の場合と同様の方法により作成され、制御装置４０Ａの記憶部４６Ａに格納されている。
【００５６】
負荷率取得部４３Ａは、第１施形態の場合と同様の方法により、各島Ｉ１〜Ｉ４ごとに、負荷率を求める。また、判定温度設定部４４Ａは、記憶部４６Ａに格納されたテーブルと、負荷率取得部４３Ａで取得した負荷率と、に基づいて、判定温度を設定する。そして、運転判定部４５は、温度センサ３０の値（温度取得部４１で取得した温度情報）が判定温度設定部４４Ａで決定した判定温度（温度センサ判定値）以下となるように、全体空調機２０の運転／停止を判定する。そして、制御装置４０Ａは、運転判定部４５の判定結果に基づいて、全体空調機２０の運転／停止を制御する。なお、制御装置４０Ａは、運転判定部４５の判定結果に基づいて、全体空調機２０の運転／停止を制御するものとして説明したが、これに限られるものではなく、判定結果を図示しない表示部に表示する構成であってもよい。これにより、オペレータ（データセンタの管理者）は表示部に表示された判定結果（運転状態情報）にしたがって、全体空調機２０の運転／停止を手動で操作する。
【００５７】
＜作用効果＞
以上のように、第２実施形態に係るに係る冷却システムＳＡによれば、各島Ｉ１〜Ｉ４ごとにラックの負荷率ごとにラック吸込温度を所定の温度（管理温度）以内に維持するための温度センサ３０における判定温度（温度センサ判定値）を求めることができる。そして、この判定温度に基づいて、全体空調機２０の運転／停止を制御することにより、過剰な全体空調機２０の運転を止めることが可能となり、省エネ化を実現することができる。
【００５８】
≪変形例≫
なお、本実施形態（第１，２実施形態）に係る冷却システムＳ，ＳＡは、上記実施形態の構成に限定されるものではなく、発明の趣旨を逸脱しない範囲内で種々の変更が可能である。
【００５９】
第１実施形態に係る冷却システムＳは、室Ｒ内全体の負荷率Ｑ１〜Ｑｎについて、１つの判定温度を決定している。また、第２実施形態に係る冷却システムＳＡは、各島Ｉ１〜Ｉ４ごとに負荷率Ｑ１〜Ｑｎについて、１つの判定温度（即ち、室Ｒには４つの判定温度）を決定している。判定温度の決定は、これに限られるものではなく、例えば、各島Ｉ１〜Ｉ４ごとに負荷率を各島Ｉ１〜Ｉ４ごとに設定して、その組み合わせごとにセンサ温度判定値（判定温度）を決定するようにしてもよい。
【００６０】
図５は、変形例に係る冷却システムのセンサ温度判定値のテーブルデータの一例である。図５に示すように、総数ｍの島をもつ室Ｒにおいて、各島に対してｎパターンの負荷率を与え、総数ｎm個の組み合わせについてシミュレーションを行い、センサ温度判定値を決定してもよい。
【００６１】
本実施形態に係る冷却システムＳ，ＳＡにおいては、室Ｒ内に全体空調機２０および局所空調機２５が設置されているものとして説明したが、これに限られるものではなく、全体空調機２０および局所空調機２５のいずれか一方のみが室Ｒ内に設置されている構成にも適用することができる。
【００６２】
また、本実施形態に係る冷却システムＳ，ＳＡが備える全体空調機２０の台数や配置位置は、図１，図４に示す台数や配置位置に限定されるものではない。また、全体空調機２０は室内Ｒに設置されているものとして説明したが、これに限られるものではなく、ホットアイルＨＡから高温空気を取り込む風路と、コールドアイルＣＡに低温空気を供給する風路と、を設け、全体空調機２０を室Ｒの外（機械室）に設置してもよい。
【００６３】
また、制御装置４０，４０Ａは、全体空調機２０の運転／停止を制御または表示するものとして説明したが、これに限られるものではなく、局所空調機２５の運転／停止を制御または表示してもよく、全体空調機２０および局所空調機２５の運転／停止を制御または表示してもよい。
【符号の説明】
【００６４】
Ｓ，ＳＡ      冷却システム
１０          ラック（電子機器）
１２          ラック列
１５          ラック群
２０          全体空調機
２５          局所空調機
３０          温度センサ（温度計測部）
４０，４０Ａ  制御装置
４１          温度取得部
４２          運転状態取得部
４３，４３Ａ  負荷率取得部
４４，４４Ａ  判定温度設定部
４５          運転判定部
４６，４６Ａ  記憶部
ＨＡ          ホットアイル
ＣＡ          コールドアイル
Ｒ            室（部屋）
Ｉ１〜Ｉ４    島
【図１】
2018017469.tif 000003
【図２】
2018017469.tif 000004
【図３】
2018017469.tif 000005
【図４】
2018017469.tif 000006
【図５】
2018017469.tif 000007